(57)【要約】      （修正有）【課題】高齢者や初診者が水泳のトレーニング時に体の一部を浮揚させる水泳用浮揚パット入り、バンドサポーターを提供する。【解決方法】胴体部１０や大腿部１１の前部と後部の形に合わせたゆるやかなカーブのＵ字状の浮揚パットを、水着の下に止めるバンドサポーター２、３の内側につくった袋に入れ、入り口をボタン、ホック、またはファスナーや面ファスナー１２で浮揚パットが外に出ないようにし、さらに伸縮する材質でおさえることや、ゴムバンド、または面ファスナー１２でしばることにより、浮揚パットを固定し、バンドサポーター２、３は面ファスナー１２でとめる。その上に水着を着れば、人目を気にすることなく水着のままで胴体部１０と大腿部１１が水に浮き、同時に足も浮いてくるため、より正しいフォームで水泳のトレーニングができる。【選択図】図６
0003196159.tif 000002
【実用新案登録請求の範囲】
【請求項１】
水泳用浮揚パット入りバンドサポーターであって、バンドサポーターに袋を設け、その袋の中へ浮揚パットを入れ、浮揚パットは、人間の胴体部および大腿部の前部と後部の形に合うようなゆるやかなカーブのＵ字状に形成され、バンドサポーターの胴体部および大腿部の前と後の内側に、バンドサポーターと同一生地を二重折りにしたり、袋の一重をメッシュ状のネットの生地でつくったりして、下辺および両側を縫い合わせて浮揚パットが入る袋をつくり、この袋の中に浮揚パットを入れ、この袋の入り口を固定部材でとめて、袋の中の浮揚パットが飛び出さないようにし、バンドサポーターの胴体部、および大腿部の生地は、より伸縮性の強い材質とし、伸縮性のバンドで、胴体部と大腿部をしばり、バンドサポーターは面ファスナーでとめることを特徴とする水泳用浮揚パット入り、バンドサポーター。
【考案の詳細な説明】
【技術分野】
【０００１】水泳のトレーニング時に体の一部を浮揚させる器具に関するものである。
【背景技術】
【０００２】水泳のトレーニング時に、ヒモで体に結んだり、股の間に挟んだり、手に持ったりして体を浮かすための補助器具は多数に存在する。
【先行技術文献】
【０００３】体を浮かすための補助器具として次のようなものがある。
▲１▼ポリウレタン樹脂や、ポリエステル、発泡スチロール、ポリエチレン樹脂を重ね合わせた長方形の浮き板（ボード）。手に持ったり、体の下にあてたり、股の間に挟んだりして練習する。大きさは、大（幅３０ｃｍ×長さ４０〜４５ｃｍ）と小（幅１７ｃｍ×長さ２５〜３０ｃｍ）、厚さ３０〜４０ｍｍがある。
▲２▼ヘチマ型の浮きマット。股、または大腿部の間に挟み、足をあまり動かさずに手や腕、肩などの筋力アップに取り組める。（厚さ３．５〜８ｃｍ，幅１２ｃｍ×長さ２３ｃｍ）。
▲３▼真中にバンドがある板状のもの。バンドの中に手足を入れて板で水をかき、スピードを上げる練習ができる。
▲４▼正方形または長方形の浮きマット。２〜４ヶ所のヒモで体に結びつけたり、留めたりして、体を浮かして泳ぐ練習ができる。
▲５▼ポリウレタン、ポリエステル、ポリエチレン樹脂製の初心者用円筒。初心者は、円筒の穴に通したヒモを腕、腹、足に巻きつけて練習できる。
▲６▼初心者用空気入り小袋。ポリ塩化ビニル（ＰＶＣ）製など。初心者はこれを腕、胴、足などにヒモで巻きつけて、溺れなくする。
▲７▼長い水かきのついたゴム靴。多量の水をかくので早く泳げ、スピード感を体感できる。スキューバダイビングなどでも利用される。
▲８▼ポリ塩化ビニル（ＰＶＣ）製などのドーナツ型浮き輪。弱年者や初心者がドーナツの輪の中に入り、体を浮かせて泳ぐことができる。
【考案の概要】
【０００４】  水泳のトレーニング時に、筋肉の弱い高齢者や初心者は足から胴体にかけて沈み、なかなか前に進まない。胴体部、及び大腿部にゆるやかなカーブのＵ字状の浮揚パット入りバンドサポーターを着けることにより浮力を高め、胴体と大腿部を水に浮かせてトレーニングができるようにする。
具体的には、上記の浮揚パットをバンドサポーターの袋に入れてボタン、ホック、ファスナーや面ファスナーなどで蓋をして、胴体と大腿部に面ファスナーで装着する。水泳の上達過程に従い、浮揚パットの厚さを２．０、２．５、３．０、３．５．４．０〜ｃｍ自由に入れ替えができる、水泳用浮揚パット入り、バンドサポーター。
【考案が解決しようとする課題】
【０００５】  体力維持を目的に水泳をする高齢者や初心者が、近年増加傾向にある。水泳は全身運動であるので体力維持には効果的ではあるが、高齢者や初心者は足や胴体部筋力が十分でないため、水に沈んでなかなか前に進まない。ビートボードなどの器具を手に持ったり、体の下に置いたり、体に結びつけたりせずに、より自然体で水面近くに体を浮かせ、トレーニングする方法はないものか。
【課題を解決するための手段】
【０００６】  体の胴体部や大腿部の前と後の形状に合せたゆるやかなカーブのＵ字状の浮揚パットの厚さは２．０、２．５、３．０、３．５、４．０〜ｃｍとし、胴体と大腿部の寸法は、子供と大人用それぞれにＳ，Ｍ，Ｌ，ＬＬサイズを用意する。材質は、ポリウレタン、ポリエチレン、ポリエステル、ポリプロピレン樹脂や表をポリエステル、中を発泡スチロール、裏をポリエステル樹脂の合成などでつくる。体の胴体と大腿部につけたバンドサポーターの生地は水着と同質の材質でつくり、その前と後の部分の内側には、袋をつくり、その袋の中に浮揚パットを入れて、浮揚パットが飛び出すのを防ぐため、バンドサポーターと同じ生地で二重にして袋状にしたり、一重をメシュー状のネットの生地で袋をつくったりして、入り口を数個のボタン、ホック、ファスナー、面ファスナーなどでとめる。バンドサポーターの両端は面ファスナーでとめる。本考案の浮揚パットを入れる箇所と数は、使用者自身が上達の程度に応じ自らが決める。
また、袋の中のパットがぐらつかないように、バンドサポーターの生地そのものを伸縮性の強いものにするか、または、ゴムバンド、面ファスナーなどで胴体および大腿部の上からしばる。
【考案の効果】
【０００７】本考案は、次のような利点をもつ水泳用浮揚パット入り、バンドサポーター。
▲１▼、ビートボードや浮揚板を手に持たなくても、またヒモで水着にくくりつけなくても、トレーニング前に、または途中にでも自由に、バンドの中の袋に浮揚パットの厚みのスペヤーを出し入れできる。
▲２▼、肌に直接ふれないので肌触りもよい。
▲３▼、体形に合った型が選別できる。
▲４▼、水着の中にかくれるために人目を気にする必要がない。
【図面の簡単な説明】
【０００８】
【図１】本考案の浮揚パットの正面図  ▲１▼  胴体部用  表、裏  ▲２▼  大腿部用  表、裏
【図２】本考案の浮揚パットの側面図、および斜め図  ▲１▼胴体部用  表、裏  ▲２▼  大腿部用  表、裏
【図３】本考案の浮揚パットの上からの図  ▲１▼  胴体部用  表、裏  ▲２▼  大腿部用  表、裏
【図４】本考案のバンドサポーター  ▲１▼  正面図  表、裏  ▲２▼  側面図  ▲３▼  上からの図
【図５】本考案のバンドサポーターを体につけた図  ▲１▼  表  ▲２▼  裏  ▲３▼  側面
【図６】伸縮する材質、ゴムバンド、ファスナー、面ファスナーでしばった図
【図７】バンドサポーターの上に水着を着た図
【符号の説明】
【０００９】▲１▼ゆるやかなカーブのＵ字状浮揚パット
▲２▼バンドサポーターの胴体部
▲３▼バンドサポーターの大腿部
▲４▼ゴムヒモ、または面ファスナー
▲５▼バンドの袋、バンドの二重部分
▲６▼面ファスナー
▲７▼バンド
▲８▼膝
▲９▼臀部
▲１０▼胴体部
▲１１▼大腿部
▲１２▼ズリ落ち防止用ヒモ、伸縮性材質、またはゴムバンド、面ファスナー
▲１３▼ボタン、フック、ファスナー
▲１４▼水着
【考案を実施するための形態】
【００１０】▲１▼、本考案のゆるやかなカーブのＵ字状浮揚パットのサイズを、人間の胴体部と大腿部の前後の大きさに対応するため、Ｓ，Ｍ，Ｌ、ＬＬ等のサイズを用意して、使用者がそれぞれに合ったものを求めやすくする。
▲２▼、水着の下にはめるバンドサポーターの胴体部と大腿部の前後の内側に、バンドサポーターと同じ生地を二重折りにしたり、一重をメッシュー状のネットにして、下辺と両側を縫い付けて袋をつくり、その中に浮揚パットをいれる。
▲３▼、水着の下にはめるバンドサポーターの袋の入り口には、中から浮揚パットが飛び出さないようにホックやボタン、またはファスナーや面ファスナーなどでとめる。
▲４▼、バンドサポーターは面ファスナーでとめる。
▲５▼、激しい運動で浮揚パットが体に密着しない場合や、水着の下のバンドサポーターが体にぴったり合わない場合には、バンドサポーターの材質を強い伸縮性のあるものにするか、新たにずり落ち防止用の伸縮するゴムヒモ、または面ファスナーなどでしばる。
▲６▼、一般的には、クロール、平泳ぎ、バタフライの場合は体の前部に、背泳ぎの場合には後部に浮揚パットを入れるのがよいが、前と後の両方に入れる場合もある。入れる場所と数は上達の過程に応じて決めることができる。
【産業上の利用可能性】
【００１１】近年、国民の健康志向が高まり、スイミング人口が増えつつある。しかし、高齢者や初心者にとって、泳げるようになるのは容易ではない。より強い筋力を身につけ、より正しいフォームで、より美しく泳ぐことが簡単にはできないのが実状である。
本考案を使用することにより、他人の目を気にすることなく練習ができ、より正しい筋力アップとフォームの会得が可能になる。こうして高齢者や初心者は、水泳のトレーニングをすることが楽しくなり、いつも健康で前向きの人生が期待されよう。
高齢者や初心者の水泳術習得をアシストする胴体および大腿部につける水泳用浮揚パット入り、バンドサポーター。
【図１】
0003196159.tif 000003
【図２】
0003196159.tif 000004
【図３】
0003196159.tif 000005
【図４】
0003196159.tif 000006
【図５】
0003196159.tif 000007
【図６】
0003196159.tif 000008
【図７】
0003196159.tif 000009
【手続補正書】
【提出日】平成26年11月28日(2014.11.28)
【手続補正１】
【補正対象書類名】実用新案登録請求の範囲
【補正対象項目名】全文
【補正方法】変更
【補正の内容】
【実用新案登録請求の範囲】
【請求項１】
人間の胴体部又は大腿部の前部に対応する第１の袋部と、人間の胴体部又は大腿部の後部に対応する第２の袋部と、前記第１の袋部の一端部と前記第２の袋部の他端部を連結する第１のバンド部と、前記第１の袋部の他端部から伸び裏面に面ファスナーが形成されている第２のバンド部と、前記第２の袋部の一端部から伸びて表面に面ファスナーが形成されている第３のバンド部からなる水泳用浮揚パット入りバンドサポーターであって、前記第１及び第２の袋部には人間の胴体部又は大腿部の前部と後部の形に合うようなゆるやかなカーブのＵ字状に形成された浮揚パットが収納され、前記第２のバンド部に形成された面ファスナーと前記第３のバンド部に形成された面ファスナーを連結することでバンドサポーターを人間の胴体部又は大腿部に固定することを特徴とする水泳用浮揚パット入り、バンドサポーター。